【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
電子情報コンテンツを表示する表示部を有する電子機器において、
前記電子情報コンテンツの表示高さの中央位置から、前記電子情報コンテンツの上部高さまたは下部高さを算出するコンテンツ高さ算出部と、
前記表示部の表示画面高さを取得する表示画面高さ取得部と、
前記電子情報コンテンツの上部高さまたは下部高さと、前記表示画面高さとを比較した結果に基づいて、該電子情報コンテンツの前記表示部上の表示位置を決定する表示決定部と
を備えることを特徴とする電子機器。
【請求項２】
前記電子情報コンテンツは、数式、構造式、分子式、ブロック線図、調理式の少なくとも１つを含むことを特徴とする請求項１に記載の電子機器。
【請求項３】
前記中央位置は、前記電子情報コンテンツの表示高さの略半分の表示位置であることを特徴とする請求項１または２に記載の電子機器。
【請求項４】
前記電子情報コンテンツは、複数の項目と、該項目を結ぶ要素とから構成され、
前記中央位置は、前記電子情報コンテンツ中の要素が表示されている表示位置であることを特徴とする請求項１または２に記載の電子機器。
【請求項５】
前記中央位置は、前記電子情報コンテンツ中の各要素の中で、同じ表示位置である要素の数が多い要素の表示位置であることを特徴とする請求項４に記載の電子機器。
【請求項６】
前記表示決定部は、前記電子情報コンテンツの前記表示部上の表示位置を、該表示部に対して上詰め、下詰め、センタリングのいずれかの表示位置とすることを特徴とする請求項１に記載の電子機器。
【請求項７】
前記表示決定部は、前記表示画面高さの半分の高さが前記電子情報コンテンツの上部高さより高い場合に、前記表示部における前記電子情報コンテンツの表示位置を上詰めに決定することを特徴とする請求項６に記載の電子機器。
【請求項８】
前記表示決定部は、前記表示画面高さの半分の高さが前記電子情報コンテンツの下部高さより高い場合に、前記表示部における前記電子情報コンテンツの表示位置を下詰めに決定することを特徴とする請求項６に記載の電子機器。
【請求項９】
前記表示決定部は、前記表示部における前記電子情報コンテンツの表示位置を前記上詰めおよび前記下詰めに決定できない場合に、センタリングに決定することを特徴とする請求項６に記載の電子機器。
【請求項１０】
前記表示画面高さ取得部は、前記表示部の表示画面の高さから、演算結果、解析結果また処理結果を表示する結果表示領域の高さを引いた表示画面高さを取得することを特徴とする請求項１に記載の電子機器。
【請求項１１】
前記電子情報コンテンツを表示するための複数種類のフォントを記憶するフォント記憶部をさらに備え、
前記表示決定部は、
前記電子情報コンテンツの上部高さまたは下部高さと、前記表示画面高さとを比較した結果に基づいて、前記電子情報コンテンツを表示するフォントの種類を決定することを特徴とする請求項１から７までのいずれか１項に記載の電子機器。
【請求項１２】
前記表示決定部は、前記電子情報コンテンツの上部高さまたは下部高さと、前記表示画面高さとを比較した結果に基づいて、前記決定されたフォントで、前記電子情報コンテンツの表示位置を決定することを特徴とする請求項１１に記載の電子機器。
【請求項１３】
前記電子情報コンテンツの一部を演算、解析または処理する検算部をさらに備え、
前記検算部の検算結果を前記電子情報コンテンツとともに前記表示部に表示することを特徴とする請求項１から１２までのいずれか１項に記載の電子機器。
【請求項１４】
前記検算部により前記電子辞書コンテンツの一部が検算された検算結果を、該前記電子情報コンテンツの一部に置き換えて表示することを特徴とする請求項１３に記載の電子機器。
【請求項１５】
ホストコンピュータと通信する通信部をさらに備え、
前記通信部は、前記表示部に表示されているデータを前記ホストコンピュータに送信することを特徴とする請求項１から１４までのいずれか１項に記載の電子機器。
【請求項１６】
電子情報コンテンツを表示する表示部を備えた電子機器の制御方法であって、
前記電子情報コンテンツの表示高さの中央位置から、前記電子情報コンテンツの上部高さまたは下部高さを算出するコンテンツ高さ算出ステップと、
前記表示部の表示画面高さを取得する表示画面高さ取得ステップと、
前記電子情報コンテンツの上部高さまたは下部高さと、前記表示画面高さとを比較する比較ステップと、
前記比較ステップの結果に基づいて、前記電子情報コンテンツの前記表示部上の表示位置を決定する表示決定ステップと
をコンピュータによって実行する電子機器の制御方法。
【請求項１７】
電子情報コンテンツを表示する表示部を備えた電子機器の制御プログラムであって、
前記電子情報コンテンツの表示高さの中央位置から、前記電子情報コンテンツの上部高さまたは下部高さを算出するコンテンツ高さ算出ステップと、
前記表示部の表示画面高さを取得する表示画面高さ取得ステップと、
前記電子情報コンテンツの上部高さまたは下部高さと、前記表示画面高さとを比較する比較ステップと、
前記比較ステップの結果に基づいて、前記電子情報コンテンツの前記表示部上の表示位置を決定する表示決定ステップと
をコンピュータに、実行させるための電子機器の制御プログラム。
【請求項１８】
請求項１７に記載の電子機器の制御プログラムを記録したコンピュータ読取可能な媒体。
【手続補正２】
【補正対象書類名】明細書
【補正対象項目名】発明の名称
【補正方法】変更
【補正の内容】
【発明の名称】電子機器及び電子機器の制御方法並びに電子機器の制御プログラム
【手続補正３】
【補正対象書類名】明細書
【補正対象項目名】００１１
【補正方法】変更
【補正の内容】
【００１１】
本発明の電子機器は、上記課題を解決するために、電子情報コンテンツを表示する表示部を有する電子機器において、前記電子情報コンテンツの表示高さの中央位置から、前記電子情報コンテンツの上部高さまたは下部高さを算出するコンテンツ高さ算出部と、前記表示部の表示画面高さを取得する表示画面高さ取得部と、前記電子情報コンテンツの上部高さまたは下部高さと、前記表示画面高さとを比較した結果に基づいて、該電子情報コンテンツの前記表示部上の表示位置を決定する表示決定部とを備える。
この構成により、表示画面が比較的小さい表示部を備える電子機器において、電子情報コンテンツを有効に表示することができる。
【手続補正４】
【補正対象書類名】明細書
【補正対象項目名】００１３
【補正方法】変更
【補正の内容】
【００１３】
また本発明の電子機器は実施形態において、中央位置が、前記電子情報コンテンツの表示高さの略半分の表示位置であることが好ましい。
この構成により、電子情報コンテンツの重要部分がある中央部分を表示することができる。
【手続補正５】
【補正対象書類名】明細書
【補正対象項目名】００１４
【補正方法】変更
【補正の内容】
【００１４】
また本発明の電子機器は実施形態において、前記電子情報コンテンツは、複数の項目と、該項目を結ぶ要素とから構成され、前記中央位置は、前記電子情報コンテンツ中の要素が表示されている表示位置であることが好ましい。
この構成により、電子情報コンテンツの重要部分が表示され、ユーザは重要部分から電子情報コンテンツの全部分を推測することが可能になる。
【手続補正６】
【補正対象書類名】明細書
【補正対象項目名】００１５
【補正方法】変更
【補正の内容】
【００１５】
また本発明の電子機器は実施形態において、前記中央位置は、前記電子情報コンテンツ中の各要素の中で、同じ表示位置である要素の数が多い要素の表示位置であることが好ましい。
この構成により、重要部分が複数ある電子情報コンテンツの場合でも、最も重要部分を表示することができる。
【手続補正７】
【補正対象書類名】明細書
【補正対象項目名】００１６
【補正方法】変更
【補正の内容】
【００１６】
また本発明の電子機器は実施形態において、表示決定部が、前記電子情報コンテンツの前記表示部上の表示位置を、該表示部に対して上詰め、下詰め、センタリングのいずれかの表示位置とすることが好ましい。
この構成により、表示部を有効に使用して電子情報コンテンツを表示することができる。
本発明の電子機器は実施形態において、前記表示決定部は、前記表示画面高さの半分の高さが前記電子情報コンテンツの上部高さより高い場合に、前記表示部における前記電子情報コンテンツの表示位置を上詰めに決定するとよい。
本発明の電子機器は実施形態において、前記表示決定部は、前記表示画面高さの半分の高さが前記電子情報コンテンツの下部高さより高い場合に、前記表示部における前記電子情報コンテンツの表示位置を下詰めに決定するとよい。
本発明の電子機器は実施形態において、前記表示決定部は、前記表示部における前記電子情報コンテンツの表示位置を前記上詰めおよび前記下詰めに決定できない場合に、センタリングに決定するとよい。
【手続補正８】
【補正対象書類名】明細書
【補正対象項目名】００１７
【補正方法】変更
【補正の内容】
【００１７】
また本発明の電子機器は実施形態において、前記表示画面高さ取得部が、前記表示部の表示画面の高さから、演算結果、解析結果また処理結果を表示する結果表示領域の高さを引いた表示画面高さを取得することが好ましい。
この構成により、電子情報コンテンツの表示領域が算出され、電子情報コンテンツの中央部分を有効に表示することができる。
【手続補正９】
【補正対象書類名】明細書
【補正対象項目名】００１８
【補正方法】変更
【補正の内容】
【００１８】
また本発明の電子機器は実施形態において、前記電子情報コンテンツを表示するための複数種類のフォントを記憶するフォント記憶部をさらに備え、前記表示決定部は、前記電子情報コンテンツの上部高さまたは下部高さと、前記表示画面高さとを比較した結果に基づいて、前記電子情報コンテンツを表示するフォントの種類を決定することが好ましい。
この構成により、電子情報コンテンツを表示部に表示することができる。
【手続補正１０】
【補正対象書類名】明細書
【補正対象項目名】００１９
【補正方法】変更
【補正の内容】
【００１９】
また本発明の電子機器は実施形態において、表示決定部が、前記電子情報コンテンツの上部高さまたは下部高さと、前記表示画面高さとを比較した結果に基づいて、前記決定されたフォントで、前記電子情報コンテンツの表示位置を決定することが好ましい。
この構成により、表示部に電子情報コンテンツを有効に表示することができる。
【手続補正１１】
【補正対象書類名】明細書
【補正対象項目名】００２０
【補正方法】変更
【補正の内容】
【００２０】
また本発明の電子機器は実施形態において、前記電子情報コンテンツの一部を演算、解析または処理する検算部をさらに備え、前記検算部の検算結果を前記電子情報コンテンツとともに前記表示部に表示することが好ましい。
この構成により、検算対象部分と検算結果が同時に表示され、入力ミスを確認することができる。
【手続補正１２】
【補正対象書類名】明細書
【補正対象項目名】００２１
【補正方法】変更
【補正の内容】
【００２１】
また本発明の電子機器は実施形態において、前記検算部により前記電子辞書コンテンツの一部が検算された検算結果を、該前記電子情報コンテンツの一部に置き換えて表示することが好ましい。
この構成により、検算中に数式の高さ、幅を小さくすることができ、電子情報コンテンツをより多く表示することができる。
【手続補正１３】
【補正対象書類名】明細書
【補正対象項目名】００２２
【補正方法】変更
【補正の内容】
【００２２】
また本発明の電子機器は実施形態において、ホストコンピュータと通信する通信部をさらに備え、前記通信部は、前記表示部に表示されているデータを前記ホストコンピュータに送信することが好ましい。
この構成により、教師が生徒を指導することができる。
【手続補正１４】
【補正対象書類名】明細書
【補正対象項目名】００２３
【補正方法】変更
【補正の内容】
【００２３】
また、本発明は、別の観点によれば、電子情報コンテンツを表示する表示部を備えた電子機器の制御方法であって、前記電子情報コンテンツの表示高さの中央位置から、前記電子情報コンテンツの上部高さまたは下部高さを算出するコンテンツ高さ算出ステップと、前記表示部の表示画面高さを取得する表示画面高さ取得ステップと、前記電子情報コンテンツの上部高さまたは下部高さと、前記表示画面高さとを比較する比較ステップと、前記比較ステップの結果に基づいて、前記電子情報コンテンツの前記表示部上の表示位置を決定する表示決定ステップとをコンピュータによって実行する電子機器の制御方法である。
これにより、電子情報コンテンツを表示部に有効に表示することができる。
【手続補正１５】
【補正対象書類名】明細書
【補正対象項目名】００２４
【補正方法】変更
【補正の内容】
【００２４】
更に、本発明は、別の観点によれば、コンピュータに、前記電子情報コンテンツの表示高さの中央位置から、前記電子情報コンテンツの上部高さまたは下部高さを算出するコンテンツ高さ算出ステップと、前記表示部の表示画面高さを取得する表示画面高さ取得ステップと、前記電子情報コンテンツの上部高さまたは下部高さと、前記表示画面高さとを比較する比較ステップと、前記比較ステップの結果に基づいて、前記電子情報コンテンツの前記表示部上の表示位置を決定する表示決定ステップとを実行させるための電子機器の制御プログラムである。
【手続補正１６】
【補正対象書類名】明細書
【補正対象項目名】００３９
【補正方法】変更
【補正の内容】
【００３９】
図５は、演算結果Ｊを分数で表示しているので、演算結果Ｊの表示部分の高さＪ１は上記演算結果Ｈより高くなり、その高さＪ１の分だけ数式Ｋの表示部分の高さＫ１は小さくなる。図５（ａ）に示す数式Ｋは、「＝」のある位置を中央位置とすると、中央位置より上部高さと下部高さがほぼ同じであるので、この中央位置を表示部分の中心位置に合わせると、数式Ｋの中央部分がより多く表示できて望ましい。従って図５（ｂ）に示すように、数式Ｋは、数式Ｋの数式イメージを表示画面にセンタリングして表示される。その結果図５（ｂ）に示すように、数式Ｋの上部および下部が表示されない。結局、領域Ｑ２およびＱ３が表示されないことを表している。ここでは、「＝」を中央位置としているが、他の場合には分子分母境界線のある位置を中央位置としてもよい。
図６は、表示元イメージにおいて、数式Ｌの分子部分に分数を有する。この数式Ｌを下詰めして表示する場合、数式Ｌは、「＝」及び分母分子境界線のある位置を中央位置とすると、中央位置より上部高さの方が下部高さより大きいので、下詰めで表示するのが望ましい。そのため図６（ｂ）に示すように、数式Ｌは、数式Ｌの数式イメージを表示画面に下詰めで表示される。その結果図６（ｂ）に示すように、分数の分子部分の分子「３」が表示されない。結局、図６は、領域Ｑ４が表示されないことを表している。
【手続補正１７】
【補正対象書類名】明細書
【補正対象項目名】００５４
【補正方法】変更
【補正の内容】
【００５４】
更に、この図１２には示していないが、検算中に検算結果が得られたとき、その検算結果を数式に代入すると、数式の高さを低くすることが可能である。例えば、図１２（ｃ）で、関数「３√８」の検算結果が「２」である場合に、関数「３√８」のところに「２」を代入すると、関数「３√８」よりも数式の高さを低くすることができる。数式の高さを低くする効果は、分数の場合に顕著であり、さらに繁分数の場合に顕著に数式の高さを低くすることができる。また数式中の長い関数部分を検算した場合も検算結果をその関数部分に代入すると、関数部分を短くすることができ、結局数式全部を表示できるようになる。